(57)【要約】      （修正有）【課題】イムノクロマト法を利用した検査用装置において、使用済みの検査用装置からの微生物汚染を防止することのできる検査用装置を提供する。【解決手段】検査用装置１は、表面に少なくとも１つの開口部３１ａ、３１ｂを有し、内部にイムノクロマトグラフィー用のテストストリップ６が収容されるハウジング２と、開口部を被覆するように、ハウジングの表面に着脱自在に貼付け可能な粘着フィルム片５とを備えている。【選択図】図２
0003202603.tif 000002
【実用新案登録請求の範囲】
【請求項１】
表面に少なくとも１つの開口部を有し、内部にイムノクロマトグラフィー用のテストストリップが収容されるハウジングと、
前記開口部を被覆するように、前記ハウジングの表面に着脱自在に貼付け可能な粘着フィルム片とを備えることを特徴とする検査用装置。
【請求項２】
前記ハウジングは、底面及び該底面の全周から上方に連続する周壁からなり、該底面に前記テストストリップが設置される下部ケースと、天面及び該天面の全周から下方に連続する周壁からなり、該天面に前記開口部を有する上部ケースと、を備え、
前記上部ケースは、前記下部ケースの周壁の内側に嵌着されており、
前記下部ケースの周壁の端面は、前記上部ケースの天面よりも上側に位置するように構成されており、
前記粘着フィルム片は、前記下部ケースの周壁の端面に貼り付けされて前記開口部を被覆するように構成されていることを特徴とする請求項１に記載の検査用装置。
【請求項３】
前記ハウジングは、底面及び該底面の全周から上方に連続する周壁からなり、該底面に前記テストストリップが設置される下部ケースと、天面及び該天面の全周から下方に連続する周壁からなり、該天面に前記開口部を有する上部ケースと、を備え、
前記上部ケースと前記下部ケースとは互いの周壁の端部において液密に嵌着されており、
前記粘着フィルム片は、前記上部ケースの表面に貼付けされて前記開口部を被覆するように構成されていることを特徴とする請求項１に記載の検査用装置。
【請求項４】
前記粘着フィルム片は前記ハウジングの表面全体を被覆するように構成されていることを特徴とする請求項１〜３のいずれか１項に記載の検査用装置。
【請求項５】
包装用フィルムからなる袋に請求項４の検査用装置が複数個収容された、検査用装置の包装品。
【考案の詳細な説明】
【技術分野】
【０００１】
本考案は、イムノクロマト法を利用した臨床診断等に用いられる検査用装置に関する。具体的には、検体による感染や汚染を防ぐことができ、包装を簡易にすることのできる検査用装置に関する。
【背景技術】
【０００２】
近年、患者の健康状態を診断する臨床検査において、イムノクロマト法を利用した臨床検査が多く採用されている。イムノクロマト法は（１）特別な測定機器を必要とせず、目視で判定できる、（２）検査にかかる時間が数分程度と極めて短時間で済む、（３）検査のための操作が簡単であり、特別な技術を必要としない、等の優れた特徴を有している。これらの特徴により、イムノクロマト法は、医療現場において主にインフルエンザ等のウイルス検査や細菌感染検査に用いられており、検査診断後の迅速な治療の開始や的確な処置を可能としている。
【０００３】
この種の検査用装置を使用する際には、イムノクロマトグラフィーのテストストリップが収容されたハウジングの表面に設けられた試料液添加孔から、検体が分散された試料液が所定量滴下される。滴下された試料液は毛管作用によりテストストリップ内を移動し、シグナル検出部位に検査結果が表示される。この検査結果はシグナル検出部位と対向する位置に設けられたハウジングの判定窓から視認することができる。このように、イムノクロマト法を利用した検査用装置のハウジングには、試料液添加孔や判定窓といった複数の開口部が設けられている。そのため、感染力の強いウイルスや細菌等が試料液に含まれている場合には、検査用装置の開口部を介して使用済みのテストストリップに接触したり、余剰の試料液が開口部から流出することにより微生物汚染が生じるおそれがあった。
【０００４】
そこで、感染性の検体に触れる危険性が少ない検査用装置として、特許文献１には、検査用装置のハウジングについて、シグナル検出部位と対向する位置に設けられる判定窓を透明なプラスチック材料製の密閉窓とすることが記載されている。
【先行技術文献】
【特許文献】
【０００５】
【特許文献１】特許第４２３３６８６号
【考案の概要】
【考案が解決しようとする課題】
【０００６】
しかしながら、特許文献１に記載されたハウジングでは、判定窓は密閉されているものの、試料液添加孔は開口したままである。そのため、試料液添加孔を介した微生物汚染のおそれが依然として存在している。
【０００７】
本考案は上述した点に鑑み案出されたもので、その目的は、イムノクロマト法を利用した検査用装置において、使用済みの検査用装置からの微生物汚染を防止することのできる検査用装置を提供することにある。
【課題を解決するための手段】
【０００８】
上記課題を解決するため、本考案の検査用装置は、表面に少なくとも１つの開口部を有し、内部にイムノクロマトグラフィー用のテストストリップが収容されるハウジングと、開口部を被覆するように、ハウジングの表面に着脱自在に貼付け可能な粘着フィルム片とを備えている。
【０００９】
本考案の検査用装置は着脱自在な粘着フィルム片を備えているので、検査を実施したのち、ハウジングの表面に粘着フィルム片を貼付して、試料液添加孔及び判定窓等の開口部を被覆することができる。これにより、試料液を含むテストストリップが露出している開口部が覆われるため、開口部を介した微生物汚染を防ぐことができ、使用済みの検査用装置を安全に取り扱うことができる。
【００１０】
また、本考案の検査用装置のハウジングは、底面及び底面の全周から上方に連続する周壁からなり、この底面にテストストリップが設置される下部ケースと、天面及び天面の全周から下方に連続する周壁からなり、この天面に前記開口部を有する上部ケースと、を備え、上部ケースは、下部ケースの周壁の内側に嵌着されており、下部ケースの周壁の端面は、上部ケースの天面よりも上側に位置するように構成されており、粘着フィルム片は、下部ケースの周壁の端面に貼り付けされて開口部を被覆するように構成されていることも好ましい。なお、本明細書において上下とは、検査用装置を机の上等に置いて使用する状態での上下方向をいうものとする。
【００１１】
この検査用装置のハウジングは上部ケースと下部ケースとからなり、下部ケースの周壁に囲まれた内側部分に、下部ケースよりも一回り小さく形成された上部ケースが上から嵌め込まれている。ここで、下部ケースの周壁の端面は、上部ケースの天面よりも上側に位置するように構成されているため、ハウジングの表面には、上部ケースの天面からなる部分と下部ケースの周壁の端面からなる凸状の外縁部分とが存在する。それゆえ、検査を実施したのち、ハウジングの表面に粘着フィルム片を貼付する際には、粘着フィルム片を凸状の外縁部分、すなわち、下部ケースの周壁の端面部分に貼付することにより、試料液添加孔及び判定窓等の開口部を被覆することができる。これにより、試料液を含むテストストリップが露出している開口部及び上部ケースと下部ケースの嵌合部分が覆われるため、開口部やケースの隙間を介した微生物汚染を防ぐことができ、使用済みの検査用装置をより安全に取り扱うことができる。また、検査を実施する前においても、実施後と同様に粘着フィルム片をハウジングの下部ケースの周壁の端面部分に貼付することにより、ハウジングの内部に湿気やホコリなどが入るのを防ぐことができ、テストストリップの変質や劣化を防ぐことができる。
【００１２】
さらに、本考案の検査用装置のハウジングは、底面及び底面の全周から上方に連続する周壁からなり、この底面にテストストリップが設置される下部ケースと、天面及び天面の全周から下方に連続する周壁からなり、この天面に開口部を有する上部ケースと、を備え、上部ケースと下部ケースとは互いの周壁の端部において液密に嵌着されており、粘着フィルム片は、上部ケースの表面に貼付けされて開口部を被覆するように構成されていることも好ましい。
【００１３】
この検査用装置のハウジングは上部ケースと下部ケースとからなり、両ケースは互いの周壁の端部、すなわち、側面において液密に嵌合している。検査を実施したのち、ハウジングの表面に粘着フィルム片を貼付する際には、粘着フィルム片を上部ケースの表面に貼付することにより、試料液添加孔及び判定窓等の開口部を被覆することができる。これにより、試料液を含むテストストリップが露出している開口部が覆われるため、開口部を介した微生物汚染を防ぐことができ、使用済みの検査用装置をより安全に取り扱うことができる。
【００１４】
また、本考案の検査用装置の粘着フィルム片は前記ハウジングの表面全体を被覆するように構成されていることも好ましい。これにより、ハウジング表面の開口部を確実に覆うことができるため、より安全に使用済みの検査用装置を取り扱うことができる。
【００１５】
さらに、本考案の検査用装置の包装品は、包装用フィルムからなる袋に上述した検査用装置が複数個収容されてなる。これにより、ハウジングの表面に粘着フィルム片が貼付された検査用装置が複数個包装された包装品が得られる。粘着フィルム片がハウジングの表面全体を被覆することにより、粘着フィルム片を従来行われていた個包装の代替とすることができるため、個包装を省略することができる。
【考案の効果】
【００１６】
本考案によれば、以下のような優れた効果を有する検査用装置及び検査用装置の包装品を提供することができる。
（１）使用済みの検査用装置からの微生物汚染を手軽に防止することができ、安全に取り扱うことができる。
（２）粘着フィルム片を従来行われていた個包装の代替とすることができるため、個包装を省略することができる。
【図面の簡単な説明】
【００１７】
【図１】本考案の第一の実施形態に係る検査用装置を概略的に示す斜視図である。
【図２】第一の実施形態に係る検査用装置を概略的に示す分解斜視図である。
【図３】図１の検査用装置の（ａ）正面図及び（ｂ）Ａ−Ａ’線断面図である。
【図４】第一の実施形態に係る検査用装置が複数個包装された包装品を概略的に示す図である。
【図５】本考案の第二の実施形態に係る検査用装置を概略的に示す斜視図である。
【図６】第二の実施形態に係る検査用装置を概略的に示す分解斜視図である。
【図７】図５の検査用装置の（ａ）正面図及び（ｂ）Ｂ−Ｂ’線断面図である。
【考案を実施するための形態】
【００１８】
以下、図１〜図４を参照しつつ、本考案の第一の実施形態について詳細に説明する。
【００１９】
図１に示すように、本考案の第一の実施形態に係る検査用装置１はハウジング２と粘着フィルム片５とを備えている。
【００２０】
図２に示すように、ハウジング２は上部ケース３と下部ケース４とから構成されている。上部ケース３と下部ケース４との間の空間には、イムノクロマトグラフィー用のテストストリップ６が収容される。上部ケース３はハウジング２の上側に位置する天面３０と、この天面の全周から下向きにほぼ垂直に連続する周壁３２から概略形成されている。天面３０には、ハウジング２の内部に収容されたテストストリップに外部からアクセスするための複数の開口部３１（３１ａ及び３１ｂ）が設けられている。本実施形態においては、開口部３１として、試料液をテストストリップに導入するための試料液添加孔３１ａ及びテストストリップのシグナル検出部位を視認するための判定窓３１ｂを有している。なお、開口部３１としては、上述したもの以外に、テストストリップ上に展開された試料液を蒸発させるための孔等を形成することも可能である。他方、下部ケース４は、ハウジング２の下側に位置する底面４０と、この底面の全周から上向きにほぼ垂直に連続する周壁４１から概略形成されている。底面４０には、テストストリップ６が載置されるところ、上部ケース３の開口部３１と対向する位置にテストストリップ６が配置するよう、テストストリップ支持部４２が設けられている。
【００２１】
図２及び図３（ｂ）に示すように、ハウジング２は上部ケース３と下部ケース４とが互いに向かいあった状態で嵌着することにより形成される。このうち、下部ケース４は、その周壁４１の内側に上部ケース３全体が液密に嵌めこまれるよう、上部ケース３よりひとまわり大きく形成されている。本実施形態では、下部ケース４の周壁４１の内側に上部ケース３の周壁３２の外側が嵌合し、上部ケース３は下部ケース４に液密に嵌着するように形成されている。また、本実施形態では、下部ケース４に上部ケース３が嵌着してハウジング２が形成された状態において、下部ケース４の周壁の端面４１ａが上部ケース３の天面３０よりも一段高くなるように、下部ケース４の周壁４１の高さが調整されている。すなわち、下部ケース４の周壁４１の高さは、上部ケース３の周壁３２の高さ分の長さと下部ケース４の底面４０の厚み分の長さを足した値よりも大きい値となるように設計されている。具体的には、下部ケース４に上部ケース３が嵌着した状態で、下部ケース４の周壁の端面４１ａが上部ケース３の天面３０よりも０．５ｍｍ〜５ｍｍ高くなるように、下部ケース４の周壁４１の高さが設計されていることが好ましい。このように上部ケース３と下部ケース４を構成することにより、上部ケース３と下部ケース４との嵌合部分が、ハウジング２の表面上に現れることとなる。この嵌合部分は、下部ケース４の周壁の端面４１ａよりも下側に位置するため、下部ケース４の周壁の端面４１ａを後述する粘着フィルム片５で覆うことにより、複数の開口部３１及び上部ケース３と下部ケース４の嵌合部分が封止され、ハウジング２内部の気密性が確保される。
【００２２】
図１〜図３に示すように、本実施形態の検査用装置１は、ハウジング２を構成する下部ケース４の周壁の端面４１ａに、粘着フィルム片５を貼り付けすることができる。それゆえ、下部ケース４の端面４１ａは、粘着フィルム５の粘着力が作用し、安定的に粘着フィルム片５が端面４１ａ上に保持されるよう、一定の幅長さを有する略平坦な端面として形成されている。具体的には、下部ケース４の端面４１ａの幅長さは、１ｍｍ以上であることが好ましく、１．５ｍｍ以上であることがより好ましい。
【００２３】
ハウジング２、すなわち、上部ケース３及び下部ケース４の材質としては特に限定されないが、合成樹脂が好ましく、ポリエチレン、ポリプロピレン、耐衝撃性ポリスチレン等のポリスチレン又はＰＥＴ等の合成樹脂が挙げられる。また、後述する粘着フィルム片と下部ケース４の端面４１ａとの粘着を確実とするために、下部ケース４の端面４１ａには粘着性を向上させるような材料及び加工を施してもよい。
【００２４】
次に粘着フィルム片５について説明する。粘着フィルム片５は、樹脂フィルム５０と粘着剤５１とが積層されて構成されている。粘着フィルム片５は、少なくとも、ハウジング２の表面に形成されている上部ケース３の開口部３１を被覆できる大きさであることが好ましく、ハウジング２の表面全体を被覆できる大きさであることがより好ましい。本実施形態では、図１〜３に示すように、粘着フィルム片５は、ハウジング２の下部ケース４の端面４１ａ全体を覆うことができる大きさに形成されている。
【００２５】
粘着フィルム片５の樹脂フィルム５０の材質としては特に限定されないが、合成樹脂が好ましく、ポリエチレン、ポリプロピレン、ＰＥＴ、ナイロン若しくはポリエステル等の合成樹脂フィルム、これらを組み合わせた合成樹脂多層フィルム、シリカやアルミナ等の透明蒸着フィルム、アルミ箔ラミネートフィルム又はアルミニウム蒸着フィルム等が挙げられる。特に、上部ケース３の天面３０上に印刷された製品名、検査項目、ＩＤ又は判定標識等について、粘着フィルム片５を貼着したまま確認できる観点から、透明度が高いフィルムが好ましい。さらに、樹脂フィルム５０の透湿性が低いと、粘着フィルム片５で覆われたハウジング２内部への外部環境の湿気の透過を好適に防ぐことができる観点から、ガスバリア性を有する積層フィルム、すなわち、合成樹脂多層フィルム、シリカやアルミナ等の透明蒸着フィルム、アルミ箔ラミネートフィルム又はアルミニウム蒸着フィルム等も用いることができる。また、粘着フィルム片５に用いられる粘着剤５１の材質としては、特に限定されないが、粘着フィルム片５を脱着可能にハウジング２に貼り付けすることができる粘着剤であればよく、粘着フィルム片５をいったんハウジング２の表面に貼り付けして剥がした後、再度貼り付けすることができるように、複数回にわたって脱着可能な粘着性を有する材質で形成されているものが好ましい。本実施形態では、樹脂フィルム５０として、薄くてもコシがあり脱着しやすいことから、２０〜２００μｍ厚みのＰＥＴフィルムが採用されている。他方、粘着剤５１としてはアクリル系粘着剤が用いられ、接着力は５Ｎ／２５ｍｍ以上（ＪＩＳ  Ｚ０２３７、１８０度ピール、３００ｍｍ／分）のものが好適に用いられる。
【００２６】
また、本実施形態では、粘着フィルム片５を取り扱う際、手に粘着剤５１が触れることがなく、取り扱いしやすいように、粘着フィルム片５の一部に粘着力を有しない把持部５２が設けられている。図２〜図３に示すように、把持部５２は、粘着フィルム片５のハウジング２の表面を覆っている部分から離れた端部に形成されている。図３に示すように、本実施形態における把持部５２は、樹脂フィルム５０に粘着剤５１が積層されておらず、樹脂フィルム５０のみとすることにより構成されているが、粘着剤５１を剥離紙等で覆うような構成とすることも可能である。
【００２７】
図１〜図３に示す本実施形態に係る検査用装置１は、一例としてインフルエンザウイルスの検査に用いるイムノクロマト法を利用したラテラルフロータイプの検査用装置を示しているが、検査対象としてはこれに限定されず、インフルエンザウイルスのほか、ＲＳウイルス、Ａ群β溶連菌、アデノウイルス、ノロウイルス、ロタウイルス、サポウイルス又は肺炎マイコプラズマ等の微生物、微生物・植物・非ヒト動物由来の蛋白質、微生物・植物・非ヒト動物由来の核酸等が挙げられる。
【００２８】
また、図２及び図３（ｂ）に示すように、本実施形態に係る検査用装置１のハウジング２内に収容されるテストストリップ６は、イムノクロマト法を利用したラテラルフロータイプのテストストリップとして構成されている。テストストリップ６は、主に、添加された試料液を吸収するサンプルパッドと、標識抗体等を含有するコンジュゲートパッドと、補足抗体等を含有し検査結果が表示されるシグナル検出部位であるメンブレンと、余剰の抽出液を吸収する吸収パッドとから構成されるが、この構成に限定されず、フロースルータイプのテストストリップや他の構成を適宜組み合わせたものも広く含まれる。一般的に、イムノクロマトグラフィーのテストストリップ６は湿気により変質しやすいため、乾燥状態で保管される必要がある。本実施形態に係る検査用装置１では、ハウジング２内に湿気を含んだ空気が流通する部分、すなわち、開口部３０と上下ケースの嵌合部が粘着フィルム片５で封止されるため、気密性が確保され、ハウジング２内部を乾燥状態に保つことができる。
【００２９】
次に、図１〜図４に基づいて、本実施形態に係る検査用装置１の使用方法について説明する。まず、検査用装置１を保管する際には、図１及び図３に示すように、テストストリップ６を収容したハウジング２の表面に、粘着フィルム片５を貼り付けする。具体的には、ハウジング２の表面全体を覆うように、粘着フィルム片５をハウジング２の下部ケース４の周壁の端面４１ａに貼り付けする。これにより、図３（ｂ）に示すように、ハウジング２を構成する上部ケース３と下部ケース４の嵌合部及びハウジング表面の複数の開口部３１が粘着フィルム片５で覆われ、外部環境からのハウジング２内部への湿気の侵入を防ぐことができる。これにより、湿気に弱く湿気により変質しやすいイムノクロマトグラフィーのテストストリップ６の吸湿を防ぎ、テストストリップの乾燥状態を維持し、検査用装置１の品質を維持することができる。
【００３０】
また、図４に示すように、ハウジング２の表面に粘着フィルム片５を貼り付けした検査用装置１を複数個まとめて１つの検査用装置包装袋８に収容し、乾燥剤９を１個収容するのみで包装品とすることができる。従来品では、テストストリップを収容したハウジングを１つずつ金属ラミネートフィルムの袋に乾燥剤とともに収容して密封する必要があり、手間とコストがかかっていた。しかし、本実施形態の検査用装置１は、湿気を含んだ空気がハウジング２内部に流通する部分が粘着フィルム片５で封止されるため、検査用装置１を個別包装する必要がなく、複数個まとめた包装を行うことができるため、包装を簡易とすることができ、使用の際の検査用装置１の取り出しもスムーズであり、コストも低減することができる。
【００３１】
次に、検査を実施する際には、検査用装置１の表面から粘着フィルム片５を剥がして検査を実施する。試料液をハウジング２内のテストストリップ６に試料液添加孔３１ａを介して導入し、検査を行う。その後、再び粘着フィルム片５をハウジング２の下部ケースの端面４１ａに貼りつけて、ハウジング表面の複数の開口部３１を覆う。これにより、手指等が開口部３１を介して試料液でぬれたテストストリップ６に触れてしまったり、試料液が試料液添加孔３１ａ及び判定窓３１ｂから漏れて周囲を汚染すること等を防ぐことができる。このように検査実施時にいったん剥がした粘着フィルム片５を再度ハウジング２の表面に貼り付けすることにより、使用済みの検査用装置１を安全に廃棄したり、取り扱うことができる。
【００３２】
次に、図５〜図７を参照しつつ、本考案の第二の実施形態について説明する。図５に示すように、本考案の第二の実施形態に係る検査用装置１１はハウジング１２と粘着フィルム片１５とを備えている。
【００３３】
図６及び図７に示すように、ハウジング１２は上部ケース１３と下部ケース１４とから構成されている。上部ケース１３と下部ケース１４との間の空間には、テストストリップ１６が収容される。上部ケース１３はハウジング１２の上側に位置する天面１３０と、この天面の全周から下向きにほぼ垂直に連続する周壁１３２から概略形成されている。天面１３０には、ハウジング１２の内部に収容されたテストストリップに外部からアクセスするための複数の開口部１３１（１３１ａ等）が設けられている。本実施形態においては、開口部１３１として、試料液をテストストリップに導入するための試料液添加孔１３１ａ及びテストストリップのシグナル検出部位を視認するための判定窓１３１ｂを有している。他方、下部ケース１４は、ハウジング１２の下側に位置する底面１４０と、この底面の全周から上向きにほぼ垂直に連続する周壁１４１から概略形成されている。底面１４０には、テストストリップ１６が載置されるところ、上部ケース１３の開口部１３１と対向する位置にテストストリップ１６が配置するよう、テストストリップ支持部１４２が設けられている。
【００３４】
図５〜図７に示すように、ハウジング１２は上部ケース１３と下部ケース１４とが互いに向かいあった状態で嵌着することにより形成される。このうち、上部ケース１３と下部ケース１４とは、その周壁１３２及び１４１の端部で液密に嵌着し、ハウジング１２を形成するように設計されている。本実施形態では、図７（ｂ）に示すように、上部ケース１３の端面１３２ａは平坦でなく段状に形成されており、それに嵌合する段状形状に下部ケース１４の端面１４１ａが形成されている。それゆえ、上部ケース１３と下部ケース１４とはその段状の端面１３２ａ及び１４１ａとが噛み合って嵌着している。本実施形態では、第一の実施形態とは異なり、ハウジング１２の側面に上部ケース１３と下部ケース１４の嵌合部が現れる。
【００３５】
図５〜図７に示すように、本実施形態の検査用装置１１は、ハウジング１２の表面、すなわち、ハウジング１２を構成する上部ケース１３の天面１３０に、粘着フィルム片１５を貼り付けすることができる。それゆえ、上部ケース１３の天面１３０は、粘着フィルム片１５の粘着力が作用し、安定的に粘着フィルム片１５が保持されるよう、開口部１３０以外は略平坦な面として形成されている。
【００３６】
次に粘着フィルム片１５について説明する。粘着フィルム片１５は、樹脂フィルム１５０と粘着剤１５１とが積層されて構成されている。粘着フィルム片１５は、少なくとも、ハウジング１２の表面に形成されている上部ケース１３の開口部１３１を被覆できる大きさであることが好ましく、ハウジング１２の表面全体を被覆できる大きさであることがより好ましい。本実施形態では、図５に示すように、粘着フィルム片１５は、ハウジング１２の上部ケース１３の天面１３０全体を覆うことができる大きさに形成されている。
【００３７】
粘着フィルム片１５の樹脂フィルム１５０の材質としては、開口部１３０からの試料液の漏れだしを防ぐことができるよう、撥水性を有する材質であることが好ましい。具体的には特に限定されないが、合成樹脂が好ましく、ポリエチレン、ポリプロピレン、ＰＥＴ、ナイロン若しくはポリエステル等の合成樹脂フィルム、これらを組み合わせた合成樹脂多層フィルム、シリカやアルミナ等の透明蒸着フィルム、アルミ箔ラミネートフィルム又はアルミニウム蒸着フィルム等が挙げられる。また、粘着フィルム片１５に用いられる粘着剤１５１の材質としては、特に限定されないが、粘着フィルム片１５を脱着可能にハウジング１２に貼り付けすることができる粘着剤であればよく、粘着フィルム片１５をいったんハウジング１２の表面に貼り付けして剥がした後、再度貼り付けすることができるように、複数回にわたって脱着可能な粘着性を有する材質で形成されているものが好ましい。
【００３８】
また、図５〜図７に示すように、粘着フィルム片１５には、取り扱いの際、手に粘着剤１５１が触れることがなく、脱着しやすいように、粘着フィルム片１５の一部に粘着力を有しない把持部１５２が設けられている。把持部１５２は、粘着フィルム片１５のハウジング１２の表面を覆っている部分から離れた端部に形成されている。図７に示すように、本実施形態における把持部１５２は、樹脂フィルム１５０に粘着剤１５１が積層されておらず、樹脂フィルム１５０のみとすることにより構成されている。
【００３９】
次に、図５〜図７に基づいて、本実施形態に係る検査用装置１１の使用方法について説明する。まず、検査用装置１１を保管する際には、図５に示すように、テストストリップ１６を収容したハウジング１２の表面に、粘着フィルム片１５を貼り付けする。具体的には、ハウジング１２の表面の開口部１３１を覆うように、粘着フィルム片１５をハウジング１２の上部ケース１３の天面１３０に貼り付けする。これにより、図７（ｂ）に示すように、ハウジング表面の複数の開口部１３１が粘着フィルム片１５で覆われ、開口部１３１からのハウジング１２内部への異物混入を防ぐことができる。
【００４０】
次に、検査を実施する際には、検査用装置１１の表面から粘着フィルム片１５を剥がして検査を実施する。試料液をハウジング１２内のテストストリップ１６に試料液添加孔１３１ａを介して導入し、検査を行う。その後、再び粘着フィルム片１５をハウジング１２の上部ケースの天面１３０に貼りつけて、ハウジング表面の複数の開口部１３１を覆う。これにより、手指等が開口部１３１を介して試料液でぬれたテストストリップ１６に触れてしまったり、試料液が試料液添加孔１３１ａ及び判定窓１３１ｂから漏れて周囲を汚染すること等を防ぐことができる。このように検査実施時にいったん剥がした粘着フィルム片１５を再度ハウジング１２の表面に貼り付けすることにより、使用済みの検査用装置１１を安全に廃棄したり、取り扱うことができる。
【００４１】
ハウジング１２又は粘着フィルム片１５の構成についてのその他の説明は、上述した第一の実施形態の場合と同様であり、その機能や作用効果も同様である。
【００４２】
本考案は、上記の実施形態に限定されるものでなく、実用新案登録請求の範囲に記載された考案の要旨を逸脱しない範囲内での種々、設計変更した形態を技術的範囲に含むものである。
【符号の説明】
【００４３】
１、１１  検査用装置
２、１２  ハウジング
３、１３  上部ケース
３０、１３０  天面
３１、１３１  開口部
３１ａ、１３１ａ  試料液添加孔
３１ｂ、１３１ｂ  判定窓
３２、１３２  周壁
１３２ａ  上部ケースの周壁の端面
４、１４  下部ケース
４０、１４０  底面
４１、１４１  周壁
４１ａ、１４１ａ  下部ケースの周壁の端面
４２、１４２  テストストリップ支持部
５、１５  粘着フィルム片
５０、１５０  樹脂フィルム
５１、１５１  粘着剤
５２、１５２  把持部
６、１６  テストストリップ
７  間隙
８  包装袋
９  乾燥剤
【図１】
0003202603.tif 000003
【図２】
0003202603.tif 000004
【図３】
0003202603.tif 000005
【図４】
0003202603.tif 000006
【図５】
0003202603.tif 000007
【図６】
0003202603.tif 000008
【図７】
0003202603.tif 000009